(57)【要約】【課題】カメラのシャッタ羽根等を駆動する電磁アクチュエータの構造の簡略化、組付け工程の簡略化等を図る。【解決手段】シャッタ羽根３０を回動自在に支持すると共に露光用の開口部１０ａを有する基板１０に平板状の突出部１１を設け、ロータ４２の一端部４２ｃを枠部材４１の軸受孔４１ａに他端部４２ｄを突出部１１の軸受孔１２にそれぞれ支持した状態で、枠部材４１を突出部１１に嵌合により連結し、枠部材４１及び突出部１１の周りにコイル４３を巻回して、枠部材４１を基板１０に締付けて固定する。これにより、従来のようなネジ等の締結部品が不要になり、部品点数を削減でき、構造の簡略化、低コスト化を行なえ、装置を薄型化できる。【選択図】　図１
2004093720.tif 000002
【特許請求の範囲】
【請求項１】
露光用の開口部を有する基板と、前記基板上の支軸周りに回動自在に支持され前記開口部に臨んで通過する光の一部を又は全てを遮光し得る遮光羽根と、前記遮光羽根を駆動する電磁アクチュエータとを備え、
前記電磁アクチュエータは、前記基板に連結される枠部材と、前記遮光羽根に駆動力を及ぼす駆動ピンを有しかつ一端部が前記枠部材に他端部が前記基板にそれぞれ支持されて所定の角度範囲を回動するロータと、前記枠部材及び基板に巻回された励磁用のコイルと、前記ロータと略同軸にて前記コイルの外側に設けられた円筒状のヨークと、を有する、
ことを特徴とするカメラ用遮光羽根駆動装置。
【請求項２】
前記枠部材及び基板の一方は、両者を嵌合により連結するための嵌合凸部を有し、
前記枠部材及び基板の他方は、前記嵌合凸部を受け入れる嵌合凹部を有する、ことを特徴とする請求項１記載のカメラ用遮光羽根駆動装置。
【請求項３】
前記基板は、前記開口部に対して径方向外側に突出する突出部を有し、
前記枠部材は、前記突出部と協働して前記ロータを回動自在に支持するべく、前記突出部に対して連結され、
前記コイルは、前記突出部に対して前記枠部材を締付けるように巻回されている、
ことを特徴とする請求項２記載のカメラ用遮光羽根駆動装置。
【請求項４】
前記ロータは、前記角度範囲の中心が前記開口部の中心を通り径方向に伸長する直線上に略位置するように配置され、
前記コイルは、前記直線に対して略垂直な方向に巻回されている、
ことを特徴とする請求項１ないし３いずれかに記載のカメラ用遮光羽根駆動装置。
【請求項５】
前記遮光羽根は、前記開口部を開閉する一枚のシャッタ羽根もしくは絞り羽根であり、
前記駆動ピンは、前記一枚のシャッタ羽根もしくは絞り羽根に対して直接連結されている、
ことを特徴とする請求項１ないし４いずれかに記載のカメラ用遮光羽根駆動装置。
【請求項６】
前記遮光羽根は、前記開口部を開閉する一対のシャッタ羽根であり、
前記駆動ピンは、前記基板に揺動自在に支持された連結アームを介して、前記一対のシャッタ羽根に連結されている、
ことを特徴とする請求項１ないし４いずれかに記載のカメラ用遮光羽根駆動装置。
【発明の詳細な説明】
【０００１】
【発明の属する技術分野】
本発明は、カメラ等に搭載されて露光用の開口部を通過する光の一部又は全てを遮光し得るカメラ用遮光羽根駆動装置に関し、特に、遮光羽根を駆動するロータを含む電磁アクチュエータを備えたカメラ用遮光羽根駆動装置に関する。
【０００２】
【従来の技術】
従来のカメラ用遮光羽根駆動装置としては、例えば、お互いに連結されてロータを回動自在に支持する上側の枠部材及び下側の枠部材、上側の枠部材及び下側の枠部材に巻回された励磁用のコイル、上側の枠部材に取り付けられた円筒状のヨーク等により形成された電磁アクチュエータを、露光用の開口部を有する基板に対してネジ等により連結し、シャッタ羽根を開閉あるいは絞り駆動するものが知られている（特開平２００２−５５３７６号公報）。
【０００３】
【発明が解決しようとする課題】
ところで、上記従来の装置では、電磁アクチュエータが予めユニット化され、別個に用意された基板に対してネジ等により連結される構成となっている。したがって、製造に際しては、電磁アクチュエータだけを予め組立てる組立工程、組立が完了した電磁アクチュエータを基板に組付ける組付工程を必要とするため、製造工程が複雑化し、又、電磁アクチュエータを予めユニット化するが故に構成部品が増加して、高コスト化、構造の複雑化、大型化を招いていた。
【０００４】
本発明は、上記従来技術の問題点に鑑みて成されたものであり、その目的とするところは、構成部品を極力削減して、製造工程の簡略化、構造の簡略化、装置の小型化を図り、特に小型のデジタルカメラ等に適したカメラ用遮光羽根駆動装置を提供することにある。
【０００５】
【課題を解決するための手段】
本発明のカメラ用遮光羽根駆動装置は、露光用の開口部を有する基板と、基板上の支軸周りに回動自在に支持され開口部に臨んで通過する光の一部を又は全てを遮光し得る遮光羽根と、遮光羽根を駆動する電磁アクチュエータとを備え、上記電磁アクチュエータは、基板に連結される枠部材と、遮光羽根に駆動力を及ぼす駆動ピンを有しかつ一端部が枠部材に他端部が基板にそれぞれ支持されて所定の角度範囲を回動するロータと、枠部材及び基板に巻回された励磁用のコイルと、ロータと略同軸にてコイルの外側に設けられた円筒状のヨークと、を有する、ことを特徴としている。
【０００６】
この構成によれば、ロータは枠部材と基板とで回動自在に支持され、コイルは枠部材と基板とに巻回される構成故に、種々の部品を基板に組付ける工程において電磁アクチュエータも同時に組立てることができる。すなわち、従来に比べて枠部材が一つで済み、又、ロータを回動自在に挟持した状態で、コイルが枠部材及び基板の周りに巻回されているため、従来のようなネジ等の締結部品が不要になる。これにより、部品点数を削減でき、構造の簡略化、低コスト化を行なえ、又、電磁アクチュエータの構造が簡略化されて背丈を低くでき、装置を小型化、薄型化できる。
【０００７】
上記構成において、枠部材及び基板の一方は、両者を嵌合により連結するための嵌合凸部を有し、枠部材及び基板の他方は、嵌合凸部を受け入れる嵌合凹部を有する、構成を採用できる。
この構成によれば、嵌合凸部を嵌合凹部に嵌合させるだけで、枠部材を基板に対して位置決めしつつ連結することができ、組付け作業が容易になる。
【０００８】
上記構成において、基板は、開口部に対して径方向外側に突出する突出部を有し、枠部材は、突出部と協働してロータを回動自在に支持するべく突出部に対して連結され、コイルは、突出部に対して枠部材を締付けるように巻回されている、構成を採用できる。
この構成によれば、基板の突出部に枠部材を連結してロータを回動自在に挟持した状態で、枠部材を突出部に締付けるようにコイルが巻回されるため、コイルの巻回作業が容易に行なえると共に、専用のネジ等を用いることなく、基板に対して枠部材を堅固に連結することができる。
【０００９】
上記構成において、ロータは、回動する角度範囲の中心が開口部の中心を通り径方向に伸長する直線上に略位置するように配置され、コイルは、この直線に対して略垂直な方向に巻回されている、構成を採用できる。
この構成によれば、枠部材を基板に連結しかつ枠部材及び基板にコイルを巻回する構成を採用しつつ、ロータが回動し得る角度範囲を大きく設定できる。
【００１０】
上記構成において、遮光羽根は、開口部を開閉する一枚のシャッタ羽根もしくは絞り羽根であり、駆動ピンは、一枚のシャッタ羽根もしくは絞り羽根に対して直接連結されている、構成を採用できる。
この構成によれば、ロータの回動により、駆動ピンが一枚のシャッタ羽根もしくは絞り羽根を直接駆動し、一枚のシャッタ羽根もしくは絞り羽根は開口部の開閉もしくは絞り／非絞り動作を行なう。これにより、構造が簡略化され、デジタルカメラ等に適した背丈の低い（薄型化された）小型のカメラ用シャッタ装置もしくはカメラ用絞り装置が得られる。
【００１１】
また、上記構成において、遮光羽根は、開口部を開閉する一対のシャッタ羽根であり、駆動ピンは、基板に揺動自在に支持された連結アームを介して、一対のシャッタ羽根に連結されている、構成を採用できる。
この構成によれば、ロータの回動により連結アームを介して、駆動ピンが一対のシャッタ羽根を駆動し、一対のシャッタ羽根は開口部を開閉する。これにより、構造が簡略化され、デジタルカメラ等に適した背丈の低い（薄型化された）小型のカメラ用シャッタ装置が得られる。
【００１２】
【発明の実施の形態】
以下、本発明の実施の形態について、添付図面を参照しつつ説明する。
図１ないし図５は、本発明に係るカメラ用遮光羽根駆動装置の一実施形態としてカメラ用シャッタ装置を示すものであり、図１は側断面図、図２及び図３は作動状態を示す平面図、図４は基板を示す平面図及び側断面図、図５は枠部材を示す平面図及び側断面図である。
【００１３】
この装置は、図１に示すように、露光用の開口部１０ａ，２０ａを有する基板としての地板１０及び裏板２０、地板１０上の支軸１０ｂ周りに回動自在に支持され開口部１０ａ，２０ａに臨んで通過する光を遮光し得る遮光羽根としての一枚のシャッタ羽根３０、シャッタ羽根３０を駆動する電磁アクチュエータ４０等を備えている。
【００１４】
基板としての地板１０は、図２及び図３に示すように、略円板状に形成され、その輪郭の一部には、開口部１０ａに対して径方向外側に突出する平板状の突出部１１が一体的に形成され、突出部１１の内側領域には、略扇状の貫通孔１０ｃが形成されている。
【００１５】
図４に示すように、突出部１１及びその近傍には、後述するロータ４２の他端部４２ｄを支持する軸受孔１２、その周りに嵌合凸部としての環状凸部１３、環状凸部１３の周りに平坦な接合面１４、接合面１４に開口する嵌合凹部としての２つの嵌合孔１５、後述するコイル４３を巻回する巻回溝１６が形成されている。尚、基板としての裏板２０は、図１に示すように、地板１０に対して所定の間隔をおいて連結されて、シャッタ羽根３０を収容する羽根室Ｗを画定している。
【００１６】
一枚のシャッタ羽根３０は、図１ないし図３に示すように、円孔３１、長孔３２を有し、円孔３１に支軸１０ｂが挿入され、長孔３２に後述する駆動ピン４２ｂが挿入されている。これにより、シャッタ羽根３０は、支軸１０ｂ周りに回動自在に支持されて、駆動ピン４２ｂが所定の範囲を往復動することにより、開口部１０ａを開閉するようになっている。
【００１７】
電磁アクチュエータ４０は、図１ないし図３に示すように、地板１０に連結される枠部材４１、Ｎ極及びＳ極に着磁された磁石部４２ａ及び駆動ピン４２ｂを有するロータ４２、励磁用のコイル４３、ロータ４２と同軸に配置された円筒状のヨーク４４、鉄ピン４５等により形成されている。
尚、ヨーク４４は、コイル４３の外側において、枠部材４１に取り付けられて磁路を形成するものであり、鉄ピン４５は、ロータ４２に対して磁気的付勢力を及ぼすものである。
【００１８】
枠部材４１は、図１及び図５に示すように、ロータ４２の一端部４２ｃを支持する軸受孔４１ａ、コイル４３を巻回する巻回溝４１ｂ、地板１０の接合面１４に接合される接合面４１ｃ、接合面４１ｃから突出して形成された嵌合凸部としての２つの嵌合ピン４１ｄ、環状凸部１３に嵌合される嵌合凹部としての嵌合孔４１ｅ、鉄ピン４５を取り付ける凹部４１ｆ等により形成されている。
【００１９】
そして、枠部材４１の組付けに際しては、ロータ４２の他端部４２ｄを突出部１１の軸受孔１２に挿入し、ロータ４２の一端部４２ｃを枠部材４１の軸受孔４１ａに挿入してロータ４２を回動自在に支持すると共に、嵌合ピン４１ｄを嵌合孔１５にかつ環状凸部１３を嵌合孔４１ｅに嵌合するようにして、枠部材４１を地板１０の突出部１１に連結する。
【００２０】
このとき、嵌合ピン４１ｄと嵌合孔１５との関係及び環状凸部１３と嵌合孔４１ｅとの関係は、若干締まり嵌めの状態となっているため、枠部材４１は突出部１１に対して位置決めされつつ堅固に連結される。
この連結状態において、ロータ４２は、所定の角度範囲すなわち駆動ピン４２ｂが扇状の貫通孔１０ｂで規制される範囲において、回動自在となっている。
【００２１】
上記のように、ロータ４２は、枠部材４１と基板１０（突出部１１）とで回動自在に支持され、コイル４３は、枠部材４１と基板１０（突出部１１）とに巻回されているため、種々の部品を地板１０に組付ける工程において電磁アクチュエータ４０も同時に組立てることができる。
すなわち、従来に比べて枠部材が一つで済み、又、枠部材４１を嵌合により地板１０に連結しかつコイル４３により締付けているため、従来のようなネジ等の締結部品が不要になり、部品点数を削減でき、構造の簡略化、低コスト化を行なえ、又、電磁アクチュエータ４０の構造が簡略化されて背丈を低くでき、装置を小型化（薄型化）できる。
【００２２】
また、ロータ４２（駆動ピン４２ｂ）が回動する角度範囲（扇状の貫通孔１０ｃ）の中心は、図４（ａ）に示すように、開口部１０ａの中心を通り径方向に伸長する直線Ｌ上に略位置するように形成されている。したがって、ロータ４２は、この直線Ｌを境に左右に略等しい角度だけ回動し得るようになっている。
【００２３】
さらに、コイル４３は、図１ないし図４に示すように、枠部材４１が地板１０の突出部１１に連結された状態で、直線Ｌと略垂直な方向において上下方向からロータ４２の一端部４２ｃ及び他端部４２ｄを取り囲むように、巻回溝４１，１６内において巻回され、枠部材４１を地板１０に対して締付けた状態となっている。
【００２４】
このように、ロータ４２は、回動する角度範囲の中心が開口部１０ａの中心を通り径方向に伸長する直線Ｌ上に略位置するように配置され、コイル４３は、直線Ｌに対して略垂直な方向に巻回されているため、ロータ４２が回動し得る角度範囲を大きく設定することができる。
【００２５】
次に、この装置がデジタルカメラに搭載された場合の動作について簡単に説明する。先ず、コイル４３が非通電の状態で、図２に示すように、ロータ４２は反時計回りの回転端に位置して、鉄ピン４５等の磁気的付勢力により保持されている。このとき、シャッタ羽根３０は、開口部１０ａ，２０ａを開放した状態にある。
【００２６】
この待機状態において、撮影者がレリーズ動作を行なうと、コイル４３が通電されて、図３に示すように、ロータ４２が回転してシャッタ羽根３０が開口部１０ａ，２０ａを閉鎖する。このシャッタ羽根３０の閉じ走行により露光動作が行なわれ、ＣＣＤに撮影された撮影画像は種々の処理が施されて記憶部に取り込まれ、撮影が完了する。その後、逆向きの通電によりロータ４２が逆向きに回転して、シャッタ羽根３０は、開口部１０ａ，２０ａを開放する位置に戻り保持される。
【００２７】
図６ないし図８は、本発明に係るカメラ用遮光羽根駆動装置の他の実施形態としてのカメラ用シャッタ装置を示すものであり、図６は側断面図、図７及び図８は作動状態を示す平面図である。この実施形態は、一対のシャッタ羽根１１０を一つの電磁アクチュエータ４０で駆動するものであり、前述の実施形態と同一の構成については同一の符号を付してその説明を省略する。
【００２８】
この装置は、図６ないし図８に示すように、露光用の開口部１０ａ，２０ａを有する基板としての地板１０´及び裏板２０´、地板１０´上の支軸１０ｂ´周りに回動自在に支持された連結アーム１００、裏板２０´上の支軸２１，２２に回動自在に支持され開口部１０ａ，２０ａに臨んで通過する光を遮光し得る遮光羽根としての一対のシャッタ羽根１１０（１１１，１１２）、電磁アクチュエータ４０等を備えている。
【００２９】
連結アーム１００は、図７及び図８に示すように、略Ｌ字状に形成されて、その一端側には駆動ピン４２ｂａを受け入れるＵ字状の切欠き１０１を有し、その他端側には一対のシャッタ羽根１１０に連結される連結ピン１０２を有する。
【００３０】
一対のシャッタ羽根１１０は、シャッタ羽根１１１及びシャッタ羽根１１２からなり、シャッタ羽根１１１，１１２は、それぞれ円孔１１１ａ，１１２ａ、長孔１１１ｂ，１１２ｂを有し、円孔１１１ａ，１１２ａに支軸２１，２２が挿入され、長孔１１１ｂ，１１２ｂに連結ピン１０２が挿入されている。
これにより、一対のシャッタ羽根１１０は、支軸２１，２２周りに回動自在に支持されており、駆動ピン４２ｂが所定の範囲を往復動し、これに連動して連結アーム１００が揺動することにより、開口部１０ａ，２０ａを開閉するようになっている。
【００３１】
次に、この装置がデジタルカメラに搭載された場合の動作について簡単に説明する。先ず、コイル４３が非通電の状態で、図７に示すように、ロータ４２は反時計回りの回転端に位置して、鉄ピン４５等の磁気的付勢力により保持されている。このとき、一対のシャッタ羽根１１０（１１１，１１２）は、開口部１０ａ，２０ａを開放した状態にある。
【００３２】
この待機状態において、撮影者がレリーズ動作を行なうと、コイル４３が通電されて、図８に示すように、ロータ４２が回転して一対のシャッタ羽根１１０が開口部１０ａ，２０ａを閉鎖する。この一対のシャッタ羽根１１０の閉じ走行により露光動作が行なわれ、ＣＣＤに撮影された撮影画像は種々の処理が施されて記憶部に取り込まれ、撮影が完了する。その後、逆向きの通電によりロータ４２が逆向きに回転して、一対のシャッタ羽根１１０は、開口部１０ａ，２０ａを開放する位置に戻り保持される。
【００３３】
この装置においても、前述同様に、ロータ４２は、枠部材４１と基板１０´（突出部１１）とで回動自在に支持され、コイル４３は、枠部材４１と基板１０´（突出部１１）とに巻回されているため、種々の部品を地板１０´に組付ける工程において電磁アクチュエータ４０も同時に組立てることができる。
すなわち、従来に比べて枠部材が一つで済み、又、枠部材４１を嵌合により地板１０´に連結しかつコイル４３により締付けているため、従来のようなネジ等の締結部品が不要になり、部品点数を削減でき、構造の簡略化、低コスト化を行なえ、又、電磁アクチュエータ４０の構造が簡略化されて背丈を低くでき、装置を小型化（薄型化）できる。
【００３４】
また、ロータ４２（駆動ピン４２ｂ）は、回動する角度範囲の中心が開口部１０ａの中心を通り径方向に伸長する直線Ｌ上に略位置するように配置され、コイル４３は、直線Ｌに対して略垂直な方向に巻回されているため、ロータ４２が回動し得る角度範囲を大きく設定することができる。
【００３５】
図９及び図１０は、本発明に係るカメラ用遮光羽根駆動装置のさらに他の実施形態としてのカメラ用絞り装置を示すものであり、図９及び図１０は作動状態を示す平面図である。この実施形態は、一枚の絞り羽根１２０を一つの電磁アクチュエータ４０で駆動するものであり、前述の実施形態と同一の構成については同一の符号を付してその説明を省略する。
【００３６】
この装置は、図９及び図１０に示すように、露光用の開口部１０ａ，２０ａを有する基板としての地板１０及び裏板２０、地板１０上の支軸１０ｂ周りに回動自在に支持され開口部１０ａ，２０ａに臨んで通過する光の一部を遮光し得る遮光羽根としての一枚の絞り羽根１２０、電磁アクチュエータ４０等を備えている。
【００３７】
一枚の絞り羽根１２０は、円孔１２１、長孔１２２、絞り開口１２３を有し、円孔１２１に支軸１０ｂが挿入され、長孔１２２に駆動ピン４２ｂが挿入されている。これにより、一枚の絞り羽根１２０は、支軸１０ｂ周りに回動自在に支持されて、駆動ピン４２ｂが所定の範囲を往復動することにより、開口部１０ａ，２０ａを所定の口径に絞るようになっている。
【００３８】
次に、この装置がデジタルカメラに搭載された場合の動作について簡単に説明する。カメラのメインスイッチがＯＮとされると、ＣＣＤがＯＮとなり、モニターに撮影画像が表示される。そして、ＣＣＤの画像信号に基づいて被写体の照度が検出され、制御回路は電磁アクチュエータ４０に対して光量調整のための駆動信号を発する。
すなわち、開口部１０ａ，２０ａを通過する被写体光の光量が最適となるように、コイル４３が通電されてロータ４２が適宜回転し、絞り羽根１２０が自動的に、図９に示す非絞り位置又は図１０に示す絞り位置に駆動される。
【００３９】
この装置においても、前述同様に、ロータ４２は、枠部材４１と基板１０（突出部１１）とで回動自在に支持され、コイル４３は、枠部材４１と基板１０（突出部１１）とに巻回されているため、種々の部品を地板１０に組付ける工程において電磁アクチュエータ４０も同時に組立てることができる。
すなわち、従来に比べて枠部材が一つで済み、又、枠部材４１を嵌合により地板１０に連結しかつコイル４３により締付けているため、従来のようなネジ等の締結部品が不要になり、部品点数を削減でき、構造の簡略化、低コスト化を行なえ、又、電磁アクチュエータ４０の構造が簡略化されて背丈を低くでき、装置を小型化（薄型化）できる。
【００４０】
また、ロータ４２（駆動ピン４２ｂ）は、回動する角度範囲の中心が開口部１０ａの中心を通り径方向に伸長する直線Ｌ上に略位置するように配置され、コイル４３は、直線Ｌに対して略垂直な方向に巻回されているため、ロータ４２が回動し得る角度範囲を大きく設定することができる。
【００４１】
上記実施形態においては、輪郭が略円板状に形成された基板（地板）１０に突出部１１を設け、この突出部１１に枠部材４１を連結する構成を採用したが、基板を円板状ではなく略矩形あるいはその他の形状をなす輪郭に形成しかつその一部が突出部を画定するように形成し、この突出部に対して枠部材４１を連結する構成を採用してもよい。
また、上記実施形態においては、基板１０に対して一つの電磁アクチュエータ４０を組付ける構成を示したが、これに限定されるものではなく、複数の遮光羽根をそれぞれ駆動するべく複数の電磁アクチュエータ４０を組付ける構成であっても、本発明の範疇に含まれるものである。
【００４２】
【発明の効果】
以上述べたように、本発明のカメラ用遮光羽根駆動装置によれば、ロータの一端部が枠部材に他端部が露光用の開口部を有する基板（突出部）にそれぞれ支持されるようにして、枠部材を基板に直接連結し、枠部材及び基板の周りにコイルを巻回して、電磁アクチュエータを基板に組付けたことにより、種々の部品を基板に組付ける工程において電磁アクチュエータも同時に組立てることができ、製造工程を簡略化できる。
また、コイルが枠部材及び基板の周りに巻回されているため、従来に比べて枠部材が一つで済み、従来のようなネジ等の締結部品が不要になる。これにより、部品点数を削減でき、構造の簡略化、低コスト化が達成され、又、電磁アクチュエータの背丈を低くでき、それ故に、装置を小型化（薄型化）できる。
【図面の簡単な説明】
【図１】本発明に係るカメラ用遮光羽根駆動装置の一実施形態を示す側断面図である。
【図２】図１に示す装置において、シャッタ羽根が開口部を開放した状態を示す平面図である。
【図３】図１に示す装置において、シャッタ羽根が開口部を閉鎖した状態を示す平面図である。
【図４】図１に示す装置の一部をなす基板（地板）を示すものであり、（ａ）は平面図、（ｂ）は（ａ）中のＥ１−Ｅ１における断面図である。
【図５】図１に示す装置の一部をなす枠部材を示すものであり、（ａ）は平面図、（ｂ）は（ａ）中のＥ２−Ｅ２における断面図である。
【図６】本発明に係るカメラ用遮光羽根駆動装置の他の実施形態を示す側断面図である。
【図７】図６に示す装置において、一対のシャッタ羽根が開口部を開放した状態を示す平面図である。
【図８】図６に示す装置において、一対のシャッタ羽根が開口部を閉鎖した状態を示す平面図である。
【図９】本発明に係るカメラ用遮光羽根駆動装置のさらに他の実施形態を示すものであり、絞り羽根が開口部を開放した状態を示す平面図である。
【図１０】図９に示す装置において、絞り羽根が開口部を所定の口径に絞った状態を示す平面図である。
【符号の説明】
１０，１０´　地板（基板）
１０ａ，２０ａ　開口部
１０ｂ，１０ｂ´，２１，２２　支軸
１０ｃ　貫通孔
１１　突出部
１２　軸受孔
１３　環状凸部（嵌合凸部）
１４　接合面
１５　嵌合孔（嵌合凹部）
１６　巻回溝
２０，２０´　裏板（基板）
３０　一枚のシャッタ羽根（遮光羽根）
４０　電磁アクチュエータ
４１　枠部材
４１ａ　軸受孔
４１ｂ　巻回溝
４１ｃ　接合面
４１ｄ　嵌合ピン（嵌合凸部）
４１ｅ　嵌合孔（嵌合凹部）
４２　ロータ
４２ｂ　駆動ピン
４２ｃ　一端部
４２ｄ　他端部
４３　励磁用のコイル
４４　円筒状のヨーク
４５　鉄ピン
１００　連結アーム
１０１　切欠き
１０２　連結ピン
１１０（１１１，１１２）　一対のシャッタ羽根
１２０　一枚の絞り羽根（遮光羽根）
【図１】
2004093720.tif 000003
【図２】
2004093720.tif 000004
【図３】
2004093720.tif 000005
【図４】
2004093720.tif 000006
【図５】
2004093720.tif 000007
【図６】
2004093720.tif 000008
【図７】
2004093720.tif 000009
【図８】
2004093720.tif 000010
【図９】
2004093720.tif 000011
【図１０】
2004093720.tif 000012